(57)【要約】【課題】廃棄処理が容易であるとともに、装飾性に優れた鏡餅型容器の製造方法の提供を目的とする。【解決手段】熱可塑性樹脂シートを基材２ａに用いて成形された、鏡餅を重ねた形状を模した容器本体２に、下端側内面に感熱接着剤を塗布した筒状のシュリンクラベル２ｃを被せて、かかるシュリンクラベル２ｃを容器本体２に仮固定した状態で熱収縮させる。【選択図】      図１
2018167912.tif 000002
【特許請求の範囲】
【請求項１】
鏡餅を重ねた形状を模した容器本体を備える鏡餅型容器の製造方法であって、
熱可塑性樹脂シートを基材に用いて前記容器本体を成形し、
前記容器本体に筒状のシュリンクラベルを被せてから、前記シュリンクラベルを熱収縮させて前記容器本体に装着するにあたり、
前記シュリンクラベルの下端側内面に感熱接着剤を塗布しておいて、前記容器本体に仮固定した状態で熱収縮させることを特徴とする鏡餅型容器の製造方法。
【請求項２】
前記シュリンクラベルの下端縁と前記容器本体の下端縁との隙間を５ｍｍ以下とする請求項１に記載の鏡餅型容器の製造方法。
【請求項３】
前記シュリンクラベルの下端縁側に熱風を吹き付けて当該下端縁側のみ収縮させて前記容器本体に仮固定した後に、前記シュリンクラベルの全体に熱風を吹き付けて収縮させて、前記シュリンクラベルを前記容器本体に装着する請求項１又は２に記載の鏡餅型容器の製造方法。
【発明の詳細な説明】
【技術分野】
【０００１】
本発明は、鏡餅を重ねた形状を模した鏡餅型容器の製造方法に関する。
【背景技術】
【０００２】
古来より、わが国には、正月等の吉例の際に鏡餅を飾って神仏に供えるという風習があるが、近年、一般の家庭では餅をつく機会もなくなってきている。このため、鏡餅を重ねた形状を模した容器に、軟化状態にある餅を充填、密封して固化させたものや、同様の容器に個別に包装された丸餅や角餅（切り餅）を封入したもの等が提案されており、このような鏡餅型容器を用いた飾り鏡餅が広く利用されている（特許文献１〜５等参照）。
【先行技術文献】
【特許文献】
【０００３】
【特許文献１】特開２００８−２１３９１２号公報
【特許文献２】特開２００９−７０７０号公報
【特許文献３】特開２００９−８３９２６号公報
【特許文献４】特開２００９−１９０７７２号公報
【特許文献５】特開２０１０−５８８０５号公報
【発明の概要】
【発明が解決しようとする課題】
【０００４】
ところで、近年の環境問題への意識の高まりからゴミの分別回収が進んでおり、回収時に嵩張らないようにゴミの減容化が求められている。上記したような鏡餅型容器にあっても例外でなく、飾り終えて餅を取り出した後の易減容性、易廃棄性が望まれる。また、鏡餅は神仏に供える縁起物でもあり、そのままゴミ箱に捨てて家庭ゴミとして廃棄することに心情的に抵抗を感じることもあるため、鏡餅状の容器の原形を留めないようにしてから廃棄できるようにすることも望まれる。
【０００５】
さらに、鏡餅は、通常、水引、干支、飾り物等の縁起物とともに神仏に供えられるが、廃棄する際の心情的な抵抗感を緩和するために、これらをシュリンクラベルに印刷して当該容器に装着することも考えられる。
【０００６】
しかしながら、鏡餅を重ねた形状を模した当該容器にシュリンクラベルを装着するに際しては、当該容器の下部側に比べて上部側での収縮量が大きくなるため、シュリンクラベルが収縮して当該容器の側面に密着していくにつれて、上方にせり上がってしまうことがある。これによって、シュリンクラベルの下端側に隙間ができてしまうと、外観上好ましくなく、装飾性に劣ったものとなってしまう。
【０００７】
本発明は、上記の事情に鑑みてなされたものであり、廃棄処理が容易であるとともに、装飾性に優れた鏡餅型容器の製造方法の提供を目的とする。
【課題を解決するための手段】
【０００８】
本発明に係る鏡餅型容器の製造方法は、鏡餅を重ねた形状を模した容器本体を備え、前記容器本体が、熱可塑性樹脂シートを基材に用いて所定形状に成形された鏡餅型容器を製造するものである。
【０００９】
また、本発明に係る鏡餅型容器の製造方法は、鏡餅を重ねた形状を模した容器本体を備える鏡餅型容器の製造方法であって、熱可塑性樹脂シートを基材に用いて前記容器本体を成形し、前記容器本体に筒状のシュリンクラベルを被せてから、前記シュリンクラベルを熱収縮させて前記容器本体に装着するにあたり、前記シュリンクラベルの下端側内面に感熱接着剤を塗布しておいて、前記容器本体に仮固定した状態で熱収縮させる方法としてある。
【発明の効果】
【００１０】
本発明に係る鏡餅型容器によれば、容器本体の軽量化が図れるとともに、容器本体を廃棄する際に潰し易く、使用後の容器本体の廃棄が容易となる。
【００１１】
本発明に係る鏡餅型容器の製造方法によれば、水引、干支、飾り物等の縁起物を印刷したシュリンクラベルを装着するに際し、かかるシュリンクラベルのせり上がりを防止して、装飾性に優れた鏡餅型容器を製造することができる。
【図面の簡単な説明】
【００１２】
【図１】本発明の第一実施形態に係る鏡餅型容器の要部断面を示す説明図である。
【図２】本発明の第一実施形態に係る鏡餅型容器の容器本体の一例を示す底面図である。
【図３】図２のＡ−Ａ断面図である。
【図４】本発明の第一実施形態に係る鏡餅型容器の容器本体の一例を示す正面斜視図である。
【図５】本発明の第一実施形態に係る鏡餅型容器の容器本体の一例を示す背面図である。
【図６】本発明の第一実施形態に係る鏡餅型容器の他の例の要部断面を示す説明図である。
【図７】本発明の第二実施形態に係る鏡餅型容器の要部断面を示す説明図である。
【図８】本発明の第二実施形態に係る鏡餅型容器の容器本体の一例を示す底面図である。
【図９】図８のＢ−Ｂ断面図である。
【図１０】本発明の第二実施形態に係る鏡餅型容器の容器本体の一例を示す正面斜視図である。
【図１１】本発明の第二実施形態に係る鏡餅型容器の容器本体の一例を示す背面図である。
【発明を実施するための形態】
【００１３】
以下、本発明の好ましい実施形態について、図面を参照しつつ説明する。
【００１４】
［第一実施形態］
まず、本発明の第一実施形態について説明する。
なお、図１〜図６は、本発明の第一実施形態を示している。
【００１５】
図１に示す鏡餅型容器１は、鏡餅を二段に重ねた形状を模した容器本体２を備えており、容器本体２には個別包装された餅４が収容され、底面開口部が蓋体３で封止されている。
【００１６】
すなわち、容器本体２は、小径の鏡餅を模した上段部２１と、大径の鏡餅を模した下段部２２とを有する中空構造とされ、個別包装された餅４が容器本体２内に収容されるようになっている。容器本体２の上段部２１と下段部２２とは、くびれ部２３を介して連接されており、下段部２２側の底面開口部には、その周縁に沿って水平に張り出すフランジ部２４が形成されている。そして、底面開口部の周縁に沿って形成されたフランジ部２４に、ヒートシール等によって蓋体３を接着することにより底面開口部が封止されている。
【００１７】
なお、図１に示す鏡餅型容器１にあっては、容器本体２の上部に載置された橙５が、容器本体２の上段部２１に嵌合する透明カバー６で覆われており、また、特に図示しないが、それらの全体を透明又は印刷したオーバーシュリンクで覆う場合もあるが、これらは必要に応じて省略してもよい。
【００１８】
本実施形態において、容器本体２は、ポリスチレンペーパー（ＰＳＰ）を基材２ａに用いて、真空成形、圧空成形等により所定形状に成形される。ポリスチレンペーパーを基材２ａに用いることで、容器本体２の軽量化が図れるとともに、容器本体２を廃棄する際に潰し易く、容器本体２の原形を留めない状態に簡単に切り裂くこともでき、使用後の容器本体２の廃棄が容易となる。容器本体２の成形性を損なうことなく、容器本体２を潰したり、切り裂いたりするのを容易にする上で、容器本体２の基材２ａに用いるポリスチレンペーパーは、発泡倍率が３〜５０倍であるのが好ましく、その厚みは１．５〜４．０ｍｍであるのが好ましく、１．７〜２．８ｍｍであるのがより好ましい。
【００１９】
また、容器本体２を潰したり、切り裂いたりするのを容易にするために、容器本体２の内面には、容器本体２を複数の区画に分ける線状の溝を刻設しておくのが好ましい。
【００２０】
図２に容器本体２の底面図を示し、そのＡ−Ａ断面図を図３に示すが、容器本体２の内面には、上段部２１と下段部２２との境に位置するくびれ部２３の近傍に周方向に沿って刻設された溝を含む複数の周状溝２０１ａ，２０１ｂ，２０１ｃ，２０１ｄと、容器本体２の頂点を中心とする放射状に配された複数の放射状溝２０２とが刻設されている。容器本体２を複数の区画に分ける線状の溝を刻設する場合には、このような態様とするのが最も好ましいが、少なくとも上段部２１と下段部２２との境に位置するくびれ部２３の近傍に周方向に沿った周状溝２０１ａを刻設しておくのが好ましい。
【００２１】
このようにすることで、容器本体２を、手で押し潰して、切り裂く場合には、まず、周状溝２０１ａの近傍から潰れはじめ、その後に、周状溝２０１ｂ，２０１ｃ，２０１ｄ等の近傍が潰れるようになる。そして、複数の放射状溝２０２や、周状溝２０１ａ，２０１ｂ，２０１ｃ，２０１ｄが刻設されて薄肉となった部位を起点として、潰れた容器本体２を容易に小片に切り裂くことができる。
【００２２】
容器本体２の内面に、このような線状の溝を刻設するにあたり、溝の断面形状（溝の延在方向に直交する断面形状）は特に限定されないが、容器本体２を切り裂き易くするためには、Ｖ字形状又はＵ字形状とするのが好ましい。容器本体２の内面に、このような線状の溝を刻設するには、容器本体２の内面を成形する型に凸状のリブを設けておき、ポリスチレンペーパーを基材２ａに用いて容器本体２を成形する際に、当該凸状のリブの形状を転写することによって刻設すればよい。
【００２３】
また、容器本体２の基材２ａに用いるポリスチレンペーパーには、原料となるポリスチレン系樹脂に顔料を練り込むことによって着色することもできるが、ポリスチレンペーパーは白色であり、艶もないため、顔料を練り込んでも餅の質感を表現するのが難しい素材である。このため、ポリスチレンペーパーを基材２ａとして容器本体２を成形するにあたり、光沢を付与する等して餅の質感を表現するために、基材２ａには熱可塑性樹脂フィルム２ｂを積層するのが好ましい。
【００２４】
熱可塑性樹脂フィルム２ｂとしては、押出コートラミネート、ホットラミネート等によって基材２ａとしてのポリスチレンシートに積層することができれば、例えば、ポリプロピレン等のポリオレフィン系樹脂、ポリエステル系樹脂フィルム、ポリアミド系樹脂フィルム、ポリスチレン系樹脂等の材料樹脂を溶融押出してフィルム状に成形されたものを用いることができる。これらの中でもポリスチレンペーパーとの接着性を考慮すると、ポリスチレン系樹脂フィルムが好ましく、ポリスチレン系樹脂フィルムを用いることで、容器本体２を廃棄する際にポリスチレンペーパーとの分別が不要となる。
【００２５】
容器本体２の基材２ａに用いるポリスチレンペーパーに積層する熱可塑性樹脂フィルム２ｂは、一軸延伸フィルム、二軸延伸フィルム、無延伸フィルムのいずれであってもよいが、餅の質感を表現する上で、その厚みは１５〜６０μｍであるのが好ましく、２０〜４０μｍであるのがより好ましい。上記範囲に満たないと餅の質感を十分に表現できなくおそれがあり、上記範囲を超えてしまうと容器本体２を切り裂き難くなってしまうおそれがある。餅の質感を表現するために、熱可塑性樹脂フィルム２ｂは、必要に応じて、熱可塑性樹脂フィルム２ｂに顔料を練り込むか又は印刷を施すことにより着色してもよい。
【００２６】
また、図４に容器本体２の正面図を示し、図５に容器本体２の背面図を示すが、容器本体２には、グラビア印刷等によって水引、干支、飾り物等の縁起物を内面側に印刷したシュリンクラベル２ｃを装着することで加飾することができる（図４参照）。水引、干支、飾り物等の縁起物を印刷にすることで、これらを廃棄する際の心情的な抵抗感を緩和することができる。
【００２７】
また、シュリンクラベル２ｃに印刷するのは、写真、単色ベタ印刷であってもよい。さらに、シュリンクラベル２ｃは、印刷を傷などから保護するために、印刷面に必要に応じて接着層を設けて同種又は異種の熱収縮性フィルムを積層した積層フィルムとすることもできる。
容器本体２にシュリンクラベル２ｃを装着することで、容器本体２の傷防止、強度向上を図ることもできる。この目的のためだけに、何も印刷していないシュリンクラベル２ｃを容器本体２に装着するようにしてもよい。
また、印刷の有無を問わず、シュリンクラベル２ｃには、内面又は外面に不織布を貼りあわせて加飾することもできる。
【００２８】
シュリンクラベル２ｃとしては、ポリスチレン系樹脂、ポリプロピレン系樹脂、低密度ポリエチレン系樹脂、中密度ポリエチレン系樹脂、高密度ポリエチレン系樹脂、直鎖状低密度ポリエチレン系樹脂、直鎖状中密度ポリエチレン系樹脂、直鎖状高密度ポリエチレン系樹脂、ポリエステル系樹脂、ポリ塩化ビニル系樹脂等からなる熱収縮性フィルムが使用できる。シュリンクラベル２ｃは、収縮して容器本体２の側面に密着するように装着されるが、容器本体２の上段部２１の上部では大きな収縮量が必要となるため、収縮率を大きくすることができるポリスチレン系樹脂からなる熱収縮性フィルムが好ましい。シュリンクラベル２ｃは、単層であっても、多層であってもよいが、図５に示すような高さ方向に沿ったミシン目２ｄを設けておくことによって、容器本体２を廃棄する際に分別し易くすることができる。
【００２９】
また、シュリンクラベル２ｃは、内面側に印刷されたフィルム基材の両端部を貼り合せてチューブ状に形成した後、偏平状に折り畳み、所定の長さに切断することによって製造することができる。そして、筒状に開いて容器本体２に被せてから、熱を加えて収縮させ、収縮したシュリンクラベル２ｃが容器本体２の側面に密着するように装着するが、この際に、シュリンクラベル２ｃが上方にせり上がってしまうことがある。このため、シュリンクラベル２ｃの下端側内面には、感熱接着剤を塗布しておいて、容器本体２に仮固定した状態で熱収縮させるのが好ましく、これによって、シュリンクラベル２ｃのせり上がりを防止することができる。このとき、シュリンクラベル２ｃには、周方向に位相をずらして、一方の面と他方の面とで互いに対向しないようにして感熱性接着剤を塗布することで、偏平状に折り畳んだ状態でブロッキングが生じないようにするのが好ましい。
【００３０】
シュリンクラベル２ｃを装着したときに、シュリンクラベル２ｃの下端縁が、容器本体２の下段部２２の下端縁よりも上方に位置して隙間ができてしまったり、シュリンクラベル２ｃの下端縁がフランジ部２４にかかって、シュリンクラベル２ｃの下端縁側が容器本体２から浮き上がった状態になってしまったりするのは外観上好ましくない。シュリンクラベル２ｃの下端縁は、容器本体２の下段部２２の下端縁と重なるようにするか、シュリンクラベル２ｃの下端縁が、容器本体２の下段部２２の下端縁よりも上方に位置したとしても、その隙間を５ｍｍ以下にするのが好ましく、より好ましくは３ｍｍ以下である。
【００３１】
また、シュリンクラベル２ｃを装着したときに、収縮したシュリンクラベル２ｃの上端側が、重なり合って捩れたようになってしまうのも外観上好ましくない。このため、シュリンクラベル２ｃを装着する際には、収縮したシュリンクラベル２ｃの上端側に開口部が形成されるように、その収縮率を考慮してシュリンクラベル２ｃの寸法を調整する。このとき、収縮したシュリンクラベル２ｃの上端側に形成される開口部の径は、その上に載置される橙５の径と同等以下として、当該開口部が橙５で隠れるようにするのが好ましい。
【００３２】
さらに、シュリンクラベル２ｃを装着する際には、シュリンクラベル２ｃの下端縁側に熱風を吹き付けて当該下端縁側のみ収縮させて容器本体２の側面に密着させて仮固定した後に、シュリンクラベル２ｃの全体に熱風を吹き付けて収縮させるのが好ましい。このようにすることで、シュリンクラベル２ｃのせり上がりを防止するとともに、上段部２１と下段部２２との境に位置するくびれ部２３におけるラベルの浮き上がりを防止して、収縮したシュリンクラベル２ｃを容器本体２の側面に良好に密着させることができる。
【００３３】
また、容器本体２の底面開口部を封止する蓋体３は、エチレン・メタクリル酸共重合体樹脂（ＥＭＡＡ）、エチレン酢酸ビニル共重合体樹脂（ＥＶＡ）等のポリスチレン系樹脂に対する接着性に優れた樹脂からなるヒートシール層３ａを備えるとともに、可燃性ゴミとして廃棄できるように、紙を主体とする多層シートとするのが好ましい。紙を主体とするにあたり、紙のカールを抑制するために、紙基材３ｃの上下にポリエチレンテレフタレート（ＰＥＴ）層を積層するのが好ましい。図１では、ヒートシール層３ａ／ＰＥＴ層３ｂ／紙基材３ｃ／ポリエチレン（ＰＥ）層３ｄ／ＰＥＴ層３ｅからなる多層構成とされており、押出ラミネートで蓋体３を製造する例を示しているが、ドライラミネートで蓋体３を製造する場合には、ＰＥ層３ｄは省略することができる。
また、紙基材３ｃに押出しラミネートでヒートシール層３ａを設けた後に、ドライラミネートでＰＥＴ層３ｅを設ければ、紙基材３ａのカールを防止できるため、ヒートシール層３ａ／紙基材３ｃ／ＰＥＴ層３ｅの簡潔な構成とすることができる。
【００３４】
［第二実施形態］
次に、本発明の第二実施形態について説明する。
なお、図７〜図１１は、本発明の第二実施形態を示している。
【００３５】
図７に示す鏡餅型容器１は、鏡餅を二段に重ねた形状を模した容器本体２を備えており、容器本体２には個別包装された餅４が収容され、底面開口部が蓋体３で封止されている。
【００３６】
すなわち、容器本体２は、小径の鏡餅を模した上段部２１と、大径の鏡餅を模した下段部２２とを有する中空構造とされ、個別包装された餅４が容器本体２内に収容されるようになっている。容器本体２の上段部２１と下段部２２とは、くびれ部２３を介して連接されており、下段部２２側の底面開口部には、その周縁に沿って水平に張り出すフランジ部２４が形成されている。そして、底面開口部の周縁に沿って形成されたフランジ部２４に、ヒートシール等によって蓋体３を接着することにより底面開口部が封止されている。
【００３７】
なお、図７に示す鏡餅型容器１にあっては、容器本体２の上部に載置された橙５が、容器本体２の上段部２１に嵌合する透明カバー６で覆われており、また、特に図示しないが、それらの全体を透明又は印刷したオーバーシュリンクで覆う場合もあるが、これらは必要に応じて省略してもよい。
【００３８】
本実施形態において、容器本体２は、例えば、ポリプロピレン系樹脂シート等のポリオレフィン系樹脂シート、ポリエチレンテレフタレート系樹脂シート等のポリエステル系樹脂シート、又はポリスチレン系樹脂シートなどの熱可塑性樹脂シートを基材２ａに用いて、真空成形、圧空成形等により所定形状に成形される。基材２ａに用いる熱可塑性樹脂シートとしては、容器本体２の成形性を損なうことなく、容器本体２を潰すことを容易にする上で、ポリプロピレン系樹脂シートであるのが好ましい。また、その厚みは０．４〜２．０ｍｍであるのが好ましく、０．７〜１．５ｍｍであるのがより好ましい。
【００３９】
また、容器本体２の基材２ａにポリプロピレン系樹脂シートを用いる場合、餅の質感を表現するために、当該ポリプロピレン系樹脂シートは、白色顔料が練り込まれた下地層２ａａと、白色以外の顔料又は染料が練り込まれた表面層２ａｂとからなる積層シートとして成形されたものであるのが好ましい。かかる積層シートは、下地層２ａａと表面層２ａｂとを共押出しにより積層してもよく、別々に成形された下地層２ａａと表面層２ａｂとを貼り合わせて積層してもよい。このような態様とすることで、表面層２ａｂを透かして下地層２ａａの色合いが表面に現れることにより、両者の色合いが相俟って、餅の質感を表現豊かに表現することができるが、このためには、上記厚みの範囲内で、下地層２ａａの厚みよりも表面層２ａｂの厚みを薄くするのが好ましい。
【００４０】
また、容器本体２を潰したり、切り裂いたりするのを容易にするために、容器本体２の内面には、容器本体２を複数の区画に分ける線状の溝を刻設しておくのが好ましい。
【００４１】
図８に容器本体２の底面図を示し、そのＢ−Ｂ断面図を図９に示すが、容器本体２の内面には、上段部２１と下段部２２との境に位置するくびれ部２３の近傍に周方向に沿って刻設された溝を含む複数の周状溝２０１ａ，２０１ｂ，２０１ｃ，２０１ｄと、容器本体２の頂点を中心とする放射状に配された複数の放射状溝２０２とが刻設されている。容器本体２を複数の区画に分ける線状の溝を刻設する場合には、このような態様とするのが最も好ましいが、少なくとも上段部２１と下段部２２との境に位置するくびれ部２３の近傍に周方向に沿った周状溝２０１ａを刻設しておくのが好ましい。
【００４２】
このようにすることで、容器本体２を、手で押し潰して、切り裂く場合には、まず、周状溝２０１ａの近傍から潰れはじめ、その後に、周状溝２０１ｂ，２０１ｃ，２０１ｄ等の近傍が潰れるようになる。そして、複数の放射状溝２０２や、周状溝２０１ａ，２０１ｂ，２０１ｃ，２０１ｄが刻設されて薄肉となった部位を起点として、潰れた容器本体２を容易に小片に切り裂くことができる。
【００４３】
容器本体２の内面に、このような線状の溝を刻設するにあたり、溝の断面形状（溝の延在方向に直交する断面形状）は特に限定されないが、容器本体２を切り裂き易くするためには、Ｖ字形状又はＵ字形状とするのが好ましい。容器本体２の内面に、このような線状の溝を刻設するには、容器本体２の内面を成形する型に凸状のリブを設けておき、熱可塑性樹脂シートを基材２ａに用いて容器本体２を成形する際に、当該凸状のリブの形状を転写することによって刻設すればよい。
【００４４】
また、図１０に容器本体２の正面図を示し、図１１に容器本体２の背面図を示すが、容器本体２には、グラビア印刷等によって水引、干支、飾り物等の縁起物を内面側に印刷したシュリンクラベル２ｃを装着することで加飾することができる（図１０参照）。水引、干支、飾り物等の縁起物を印刷にすることで、これらを廃棄する際の心情的な抵抗感を緩和することができる。
【００４５】
また、シュリンクラベル２ｃに印刷するのは、写真、単色ベタ印刷であってもよい。さらに、シュリンクラベル２ｃは、印刷を傷などから保護するために、印刷面に必要に応じて接着層を設けて同種又は異種の熱収縮性フィルムを積層した積層フィルムとすることもできる。
容器本体２にシュリンクラベル２ｃを装着することで、容器本体２の傷防止、強度向上を図ることもできる。この目的のためだけに、何も印刷していないシュリンクラベル２ｃを容器本体２に装着するようにしてもよい。
また、印刷の有無を問わず、シュリンクラベル２ｃには、内面又は外面に不織布を貼りあわせて加飾することもできる。
【００４６】
シュリンクラベル２ｃとしては、ポリスチレン系樹脂、ポリプロピレン系樹脂、低密度ポリエチレン系樹脂、中密度ポリエチレン系樹脂、高密度ポリエチレン系樹脂、直鎖状低密度ポリエチレン系樹脂、直鎖状中密度ポリエチレン系樹脂、直鎖状高密度ポリエチレン系樹脂、ポリエステル系樹脂、ポリ塩化ビニル系樹脂等からなる熱収縮性フィルムが使用できる。シュリンクラベル２ｃは、収縮して容器本体２の側面に密着するように装着されるが、容器本体２の上段部２１の上部では大きな収縮量が必要となるため、収縮率を大きくすることができるポリスチレン系樹脂からなる熱収縮性フィルムが好ましい。シュリンクラベル２ｃは、単層であっても、多層であってもよいが、図１１に示すような高さ方向に沿ったミシン目２ｄを設けておくことによって、容器本体２を廃棄する際に分別し易くすることができる。
【００４７】
また、シュリンクラベル２ｃは、内面側に印刷されたフィルム基材の両端部を貼り合せてチューブ状に形成した後、偏平状に折り畳み、所定の長さに切断することによって製造することができる。そして、筒状に開いて容器本体２に被せてから、熱を加えて収縮させ、収縮したシュリンクラベル２ｃが容器本体２の側面に密着するように装着するが、この際に、シュリンクラベル２ｃが上方にせり上がってしまうことがある。このため、シュリンクラベル２ｃの下端側内面には、感熱接着剤を塗布しておいて、容器本体２に仮固定した状態で熱収縮させるのが好ましく、これによって、シュリンクラベル２ｃのせり上がりを防止することができる。このとき、シュリンクラベル２ｃには、周方向に位相をずらして、一方の面と他方の面とで互いに対向しないようにして感熱性接着剤を塗布することで、偏平状に折り畳んだ状態でブロッキングが生じないようにするのが好ましい。
【００４８】
シュリンクラベル２ｃを装着したときに、シュリンクラベル２ｃの下端縁が、容器本体２の下段部２２の下端縁よりも上方に位置して隙間ができてしまったり、シュリンクラベル２ｃの下端縁がフランジ部２４にかかって、シュリンクラベル２ｃの下端縁側が容器本体２から浮き上がった状態になってしまったりするのは外観上好ましくない。シュリンクラベル２ｃの下端縁は、容器本体２の下段部２２の下端縁と重なるようにするか、シュリンクラベル２ｃの下端縁が、容器本体２の下段部２２の下端縁よりも上方に位置したとしても、その隙間を５ｍｍ以下にするのが好ましく、より好ましくは３ｍｍ以下である。
【００４９】
また、シュリンクラベル２ｃを装着したときに、収縮したシュリンクラベル２ｃの上端側が、重なり合って捩れたようになってしまうのも外観上好ましくない。このため、シュリンクラベル２ｃを装着する際には、収縮したシュリンクラベル２ｃの上端側に開口部が形成されるように、その収縮率を考慮してシュリンクラベル２ｃの寸法を調整する。このとき、収縮したシュリンクラベル２ｃの上端側に形成される開口部の径は、その上に載置される橙５の径と同等以下として、当該開口部が橙５で隠れるようにするのが好ましい。
【００５０】
さらに、シュリンクラベル２ｃを装着する際には、シュリンクラベル２ｃの下端縁側に熱風を吹き付けて当該下端縁側のみ収縮させて容器本体２の側面に密着させて仮固定した後に、シュリンクラベル２ｃの全体に熱風を吹き付けて収縮させるのが好ましい。このようにすることで、シュリンクラベル２ｃのせり上がりを防止するとともに、上段部２１と下段部２２との境に位置するくびれ部２３におけるラベルの浮き上がりを防止して、収縮したシュリンクラベル２ｃを容器本体２の側面に良好に密着させることができる。
【００５１】
また、容器本体２の底面開口部を封止する蓋体３は、エチレン・メタクリル酸共重合体樹脂（ＥＭＡＡ）、エチレン酢酸ビニル共重合体樹脂（ＥＶＡ）等のポリスチレン系樹脂に対する接着性に優れた樹脂からなるヒートシール層３ａを備えるとともに、可燃性ゴミとして廃棄できるように、紙を主体とする多層シートとするのが好ましい。紙を主体とするにあたり、紙のカールを抑制するために、紙基材３ｃの上下にポリエチレンテレフタレート（ＰＥＴ）層を積層するのが好ましい。図７では、ヒートシール層３ａ／ＰＥＴ層３ｂ／紙基材３ｃ／ポリエチレン（ＰＥ）層３ｄ／ＰＥＴ層３ｅからなる多層構成とされており、押出ラミネートで蓋体３を製造する例を示しているが、ドライラミネートで蓋体３を製造する場合には、ＰＥ層３ｄは省略することができる。
また、紙基材３ｃに押出しラミネートでヒートシール層３ａを設けた後に、ドライラミネートでＰＥＴ層３ｅを設ければ、紙基材３ａのカールを防止できるため、ヒートシール層３ａ／紙基材３ｃ／ＰＥＴ層３ｅの簡潔な構成とすることができる。
【００５２】
以上、本発明について、好ましい実施形態を示して説明したが、本発明は、前述した実施形態にのみ限定されるものではなく、本発明の範囲で種々の変更実施が可能であることは言うまでもない。
【００５３】
例えば、前述した実施形態では、個別包装された餅４を容器本体２内に収容する例を示したが、軟化状態にある餅を充填、密封して固化させることによって、容器本体２内に餅を収容するようにしてもよい。
【００５４】
また、前述した実施形態では、容器本体２が鏡餅を二段に重ねた形状を模した例を示したが、容器本体２は鏡餅を三段に重ねた形状を模したものであってもよく、その具体的な形状は特に限定されない。また、シュリンクラベル２ｃの印刷を変更することにより、二段重ね又は三段重ねの最上段の鏡餅だけを赤餅に見えるように加飾することもできる。
【００５５】
また、前述した第一実施形態では、容器本体２の基材２ａに用いるポリスチレンペーパーに熱可塑性樹脂フィルム２ｂを積層した例を示したが、熱可塑性樹脂フィルム２ｂは、必要に応じて省略してもよい。この場合、図６に示すように、容器本体２に成形された基材２ａに、直接、シュリンクラベル２ｃを装着するようにしてもよい。特に図示しないが、容器本体２の基材２ａに用いるポリスチレンペーパーには、ハイインパクトポリスチレン等からなる耐衝撃性樹脂層を積層したり、ガスバリヤー性樹脂層を積層したりする等して、所望の物性を付与することもできる。ハイインパクトポリスチレンを積層する場合には、その厚みは５０〜２５０μｍであるのが好ましい。
【産業上の利用可能性】
【００５６】
以上説明したように、本発明は、鏡餅を重ねた形状を模した鏡餅型容器を製造する技術として利用できる。
【符号の説明】
【００５７】
１          鏡餅型容器
２          容器本体
２ａ          基材
２ａａ          下地層
２ａｂ          表面層
２ｂ          熱可塑性樹脂フィルム
２ｃ          シュリンクラベル
３          蓋体
２０１ａ〜ｄ          周状溝
２０２          放射状溝
【図１】
2018167912.tif 000003
【図２】
2018167912.tif 000004
【図３】
2018167912.tif 000005
【図４】
2018167912.tif 000006
【図５】
2018167912.tif 000007
【図６】
2018167912.tif 000008
【図７】
2018167912.tif 000009
【図８】
2018167912.tif 000010
【図９】
2018167912.tif 000011
【図１０】
2018167912.tif 000012
【図１１】
2018167912.tif 000013